(57)【要約】      （修正有）【課題】単純な構造を有し、製造費用を低減し、高い信頼性及び向上された電気的特性を有するプラズマディスプレイ装置及びプラズマディスプレイ装置の駆動方法を提供する。【解決手段】プラズマディスプレイパネル１００は、第１電極Ｙ１〜Ｙｎ及び第２電極Ｚ１〜Ｚｎを含む。駆動部２００はリセット期間の間に第１電極Ｙ１〜Ｙｎ及び第２電極Ｚ１〜Ｚｎそれぞれに第１パルス及び第２パルスを供給して、第１電極Ｚ１〜Ｚｎ及び第２電極Ｚ１〜Ｚｎの間の電圧の差が第１電圧の大きさから第１電圧の大きさ及び第２電圧の大きさの和まで漸進的に立ち上がるようにして、サステイン期間の間に第２電極にポジティブサステイン電圧とネガティブサステイン電圧との間で変化するサステインパルスを供給する。【選択図】図１
2007286626.tif 000002
【特許請求の範囲】
【請求項１】
第１電極及び第２電極を含むプラズマディスプレイパネルと、
リセット期間の間に前記第１電極及び前記第２電極それぞれに第１パルス及び第２パルスを供給し、前記第１電極及び前記第２電極の間の電圧の差が第１電圧の大きさから前記第１電圧の大きさ及び第２電圧の大きさの和まで漸進的に立ち上がるようにして、サステイン期間の間に前記第２電極にポジティブサステイン電圧とネガティブサステイン電圧との間で変化するサステインパルスを供給する駆動部と、
を含むプラズマディスプレイ装置。
【請求項２】
前記駆動部は、
前記リセット期間の間に前記第１電極に基準電圧から前記第２電圧まで漸進的に立ち上がる前記第１パルスを供給して、前記サステイン期間の間に前記基準電圧を供給する第１電極駆動部と、
前記リセット期間の間に前記第２電極に前記基準電圧から前記第１電圧まで立ち下がる前記第２パルスを供給して、前記サステイン期間の間に前記ポジティブサステイン電圧と前記ネガティブサステイン電圧との間で変化する前記サステインパルスを供給する第２電極駆動部と、
を含むことを特徴とする、請求項１記載のプラズマディスプレイ装置。
【請求項３】
前記第１電極駆動部は、
前記第１電極に接続されたドライバＩＣと、
前記ドライバＩＣを介して前記第１パルスを供給するスイッチと、
を含むことを特徴とする、請求項２記載のプラズマディスプレイ装置。
【請求項４】
前記第１電極駆動部は、
前記第１電極に接続されたドライバＩＣと、
前記第１パルスの供給後に前記ドライバＩＣを介して前記基準電圧から第３電圧まで漸進的に立ち下がる第３パルスを供給するスイッチと、
を含むことを特徴とする、請求項２記載のプラズマディスプレイ装置。
【請求項５】
前記第１電極駆動部は、
前記第１電極に接続されたドライバＩＣと、
前記ドライバＩＣを介してアドレス期間の間にスキャン基準電圧を供給するスイッチと、
を含むことを特徴とする、請求項２記載のプラズマディスプレイ装置。
【請求項６】
前記スキャン基準電圧はグラウンドレベルの電圧と実質的に同一であることを特徴とする、請求項５記載のプラズマディスプレイ装置。
【請求項７】
前記第１電極駆動部は、
前記第１電極に接続されたドライバＩＣと、
前記ドライバＩＣを介してアドレス期間の間に第４電圧まで立ち下がるスキャンパルスを供給するスイッチと、
を含むことを特徴とする、請求項２記載のプラズマディスプレイ装置。
【請求項８】
前記第１電極駆動部は、
前記第１電極に接続されたドライバＩＣと、
前記ドライバＩＣの一方の端部に接続されるスイッチと、
前記ドライバＩＣの他方の端部と前記スイッチとに接続されて前記第２電圧を供給する第２電圧源と、
前記ドライバＩＣの一方の端部とグラウンドとに接続される第１グラウンドスイッチと、
前記ドライバＩＣの他方の端部とグラウンドとに接続される第２グラウンドスイッチと、
を含むことを特徴とする、請求項２記載のプラズマディスプレイ装置。
【請求項９】
前記スイッチはリセット期間の間にアクティブ領域で動作し、
前記ドライバＩＣは、前記第２グラウンドスイッチがターンオンする際に、グラウンドレベルから前記第２電圧まで漸進的に立ち上がるパルスを前記第１電極に供給することを特徴とする、請求項８記載のプラズマディスプレイ装置。
【請求項１０】
前記スイッチはリセット期間の間にアクティブ領域で動作し、
前記ドライバＩＣは、前記第１グラウンドスイッチがターンオンする際に、グラウンドレベルの電圧から前記第２電圧まで立ち下がるパルスを前記第１電極に供給することを特徴とする、請求項８記載のプラズマディスプレイ装置。
【請求項１１】
前記スイッチはアドレス期間の間に飽和領域で動作し、
前記ドライバＩＣは、前記第１グラウンドスイッチがターンオンする際に、前記第２電圧まで立ち下がるスキャンパルスを前記第１電極に供給することを特徴とする、請求項８記載のプラズマディスプレイ装置。
【請求項１２】
前記駆動部は、
前記リセット期間の間に前記第１電極に基準電圧から前記第２電圧まで立ち上がる前記第１パルスを供給し、前記サステイン期間の間に前記基準電圧を供給する第１電極駆動部と、
前記リセット期間の間に前記第２電極に前記基準電圧から前記第１電圧まで漸進的に立ち下がる前記第２パルスを供給し、前記サステイン期間の間に前記サステインパルスを供給する第２電極駆動部と、
を含むことを特徴とする、請求項１記載のプラズマディスプレイ装置。
【請求項１３】
前記第１電極駆動部は、
前記第１電極に接続されたドライバＩＣと、
前記ドライバＩＣに接続されて前記第２電圧を供給する第２電圧源と、
前記第２電圧源に接続されて前記第１パルス及び前記サステインパルスの供給時に前記基準電圧を供給するスイッチと、
を含むことを特徴とする、請求項１２記載のプラズマディスプレイ装置。
【請求項１４】
前記第１電極駆動部は、
前記第１電極に接続されたドライバＩＣと、
前記ドライバＩＣを介して前記リセット期間の間に第３電圧まで漸進的に立ち下がる第３パルスを供給するスイッチと、
を含むことを特徴とする、請求項１２記載のプラズマディスプレイ装置。
【請求項１５】
前記第１電極駆動部は、
前記第１電極に接続されたドライバＩＣと、
前記ドライバＩＣを介してアドレス期間の間に第４電圧まで立ち下がるスキャンパルスを供給するスイッチと、
を含むことを特徴とする、請求項１２記載のプラズマディスプレイ装置。
【請求項１６】
前記第１電極駆動部は、
前記第１電極に接続されたドライバＩＣと、
前記ドライバＩＣに接続されて前記第２電圧を供給する第２電圧源と、
第４電圧を供給する第４電圧源と、
アドレス期間の間に前記ドライバＩＣを介して前記第１電極に第２電圧と前記第４電圧の和を供給するスイッチと、
を含むことを特徴とする、請求項１２記載のプラズマディスプレイ装置。
【請求項１７】
第１電極及び第２電極を含むプラズマディスプレイ装置の駆動方法において、
リセット期間の間に前記第１電極及び前記第２電極それぞれに第１パルス及び第２パルスを供給し、前記第１電極及び前記第２電極の間の電圧の差が第１電圧の大きさから前記第１電圧の大きさ及び第２電圧の大きさの和まで漸進的に立ち上がる段階と、
サステイン期間の間に前記第２電極にポジティブサステイン電圧とネガティブサステイン電圧との間で変化するサステインパルスを供給する段階と、
を含むプラズマディスプレイ装置の駆動方法。
【請求項１８】
基準電圧から前記第２電圧まで漸進的に立ち上がる前記第１パルスが前記第１電極に供給され、
前記サステイン期間の間に前記基準電圧が前記第１電極に供給され、
前記基準電圧から前記第１電圧まで立ち下がる前記第２パルスが前記第２電極に供給されることを特徴とする、請求項１７記載のプラズマディスプレイ装置の駆動方法。
【請求項１９】
基準電圧から前記第１電圧まで立ち上がる前記第１パルスが前記第１電極に供給され、
前記サステイン期間に前記基準電圧が前記第１電極に供給され、
前記基準電圧から前記第１電圧まで漸進的に立ち下がる前記第２パルスが前記第２電極に供給されることを特徴とする、請求項１７記載のプラズマディスプレイ装置の駆動方法。
【発明の詳細な説明】
【技術分野】
【０００１】
本発明はプラズマディスプレイ装置及びプラズマディスプレイ装置の駆動方法に関する。
【背景技術】
【０００２】
プラズマディスプレイ装置はプラズマディスプレイパネルと駆動部を含む。プラズマディスプレイパネルは隔壁によって区画された放電セルを含む。駆動部がプラズマディスプレイパネルの電極に駆動信号を供給すると、駆動信号によって放電が放電セルで発生して、放電が放電セル内部の蛍光体を励起させ、蛍光体が光を放出する。
【０００３】
プラズマディスプレイ装置はサブフィールドの組み合わせによって階調を表現する。すなわち、プラズマディスプレイ装置は各サブフィールド間に光を外部に放出してサブフィールドそれぞれで外部に放出された光量の和によって階調が表現される。
【０００４】
各サブフィールドは、リセット期間、アドレス期間及びサステイン期間を含む。リセット期間の間にプラズマディスプレイパネルの全体放電セルの壁電荷が均一に形成される。アドレス期間の間に光を放出する放電セルが選択される。サステイン期間中に選択された放電セルから光が放出される。
【０００５】
プラズマディスプレイ装置の駆動部の製造費用低減及び単純な構造への要求が増加している。また、駆動部の回路から発生する干渉及び駆動信号の歪曲を減らすための努力がなされている。
【発明の開示】
【発明が解決しようとする課題】
【０００６】
本発明の目的は、駆動部の製造費用を低減し、構造が単純化されたプラズマディスプレイ装置及びプラズマディスプレイ装置の駆動方法を提供することにある。
【０００７】
また、本発明の他の目的は、駆動部の回路から発生する干渉及び駆動信号の歪曲を減らすことができるプラズマディスプレイ装置及びプラズマディスプレイ装置の駆動方法を提供することにある。
【課題を解決するための手段】
【０００８】
本発明に係るプラズマディスプレイ装置は、第１電極及び第２電極を含むプラズマディスプレイパネルと、リセット期間の間に前記第１電極及び前記第２電極それぞれに第１パルス及び第２パルスを供給し、前記第１電極及び前記第２電極の間の電圧の差が第１電圧の大きさから前記第１電圧の大きさ及び第２電圧の大きさの和まで漸進的に立ち上がるようにして、サステイン期間の間に前記第２電極にポジティブサステイン電圧とネガティブサステイン電圧との間で変化するサステインパルスを供給する駆動部と、を含む。
【０００９】
前記駆動部は、前記リセット期間の間に前記第１電極に基準電圧から前記第２電圧まで漸進的に立ち上がる前記第１パルスを供給して、前記サステイン期間の間に前記基準電圧を供給する第１電極駆動部と、前記リセット期間の間に前記第２電極に前記基準電圧から前記第１電圧まで立ち下がる前記第２パルスを供給して、前記サステイン期間の間に前記ポジティブサステイン電圧と前記ネガティブサステイン電圧との間で変化する前記サステインパルスを供給する第２電極駆動部と、を含むことが好ましい。
【００１０】
前記第１電極駆動部は、前記第１電極に接続されたドライバＩＣと、前記ドライバＩＣを介して前記第１パルスを供給するスイッチと、を含むことが好ましい。
【００１１】
前記第１電極駆動部は、前記第１電極に接続されたドライバＩＣと、前記第１パルスの供給後に前記ドライバＩＣを介して前記基準電圧から第３電圧まで漸進的に立ち下がる第３パルスを供給するスイッチと、を含むことが好ましい。
【００１２】
前記第１電極駆動部は、前記第１電極に接続されたドライバＩＣと、前記ドライバＩＣを介してアドレス期間の間にスキャン基準電圧を供給するスイッチと、を含むことが好ましい。
【００１３】
前記スキャン基準電圧は、グラウンドレベルの電圧と実質的に同一であることが好ましい。
【００１４】
前記第１電極駆動部は、前記第１電極に接続されたドライバＩＣと、前記ドライバＩＣを介してアドレス期間の間に第４電圧まで立ち下がるスキャンパルスを供給するスイッチと、を含むことが好ましい。
【００１５】
前記第１電極駆動部は、前記第１電極に接続されたドライバＩＣと、前記ドライバＩＣの一方の端部に接続されるスイッチと、前記ドライバＩＣの他方の端部と前記スイッチとに接続されて前記第２電圧を供給する第２電圧源と、前記ドライバＩＣの一方の端部とグラウンドとに接続される第１グラウンドスイッチと、前記ドライバＩＣの他方の端部とグラウンドとに接続される第２グラウンドスイッチと、を含むことが好ましい。
【００１６】
前記スイッチはリセット期間の間にアクティブ領域で動作し、前記ドライバＩＣは、前記第２グラウンドスイッチがターンオンする際に、グラウンドレベルから前記第２電圧まで漸進的に立ち上がるパルスを前記第１電極に供給することが好ましい。
【００１７】
前記スイッチはリセット期間の間にアクティブ領域で動作し、前記ドライバＩＣは、前記第１グラウンドスイッチがターンオンする際に、グラウンドレベルの電圧から前記第２電圧まで立ち下がるパルスを前記第１電極に供給することが好ましい。
【００１８】
前記スイッチはアドレス期間の間に間飽和領域で動作し、前記ドライバＩＣは、前記第１グラウンドスイッチがターンオンする際に、前記第２電圧まで立ち下がるスキャンパルスを前記第１電極に供給することが好ましい。
【００１９】
前記駆動部は、前記リセット期間の間に前記第１電極に基準電圧から前記第２電圧まで立ち上がる前記第１パルスを供給し、前記サステイン期間の間に前記基準電圧を供給する第１電極駆動部と、前記リセット期間の間に前記第２電極に前記基準電圧から前記第１電圧まで漸進的に立ち下がる前記第２パルスを供給し、前記サステイン期間の間に前記サステインパルスを供給する第２電極駆動部と、を含むことが好ましい。
前記第１電極駆動部は、前記第１電極に接続されたドライバＩＣと、前記ドライバＩＣに接続されて前記第２電圧を供給する第２電圧源と、前記第２電圧源に接続されて前記第１パルス及び前記サステインパルスの供給時に前記基準電圧を供給するスイッチと、を含むことが好ましい。
【００２０】
前記第１電極駆動部は、前記第１電極に接続されたドライバＩＣと、前記ドライバＩＣを介して前記リセット期間の間に第３電圧まで漸進的に立ち下がる第３パルスを供給するスイッチと、を含むことが好ましい。
【００２１】
前記第１電極駆動部は、前記第１電極に接続されたドライバＩＣと、前記ドライバＩＣを介してアドレス期間の間に第４電圧まで立ち下がるスキャンパルスを供給するスイッチと、を含むことが好ましい。
【００２２】
前記第１電極駆動部は、前記第１電極に接続されたドライバＩＣと、前記ドライバＩＣに接続されて前記第２電圧を供給する第２電圧源と、第４電圧を供給する第４電圧源と、アドレス期間の間に前記ドライバＩＣを介して前記第１電極に第２電圧と前記第４電圧の和を供給するスイッチと、を含むことが好ましい。
【００２３】
また、本発明に係る第１電極及び第２電極を含むプラズマディスプレイ装置の駆動方法は、リセット期間の間に前記第１電極及び前記第２電極それぞれに第１パルス及び第２パルスを供給し、前記第１電極及び前記第２電極の間の電圧の差が第１電圧の大きさから前記第１電圧の大きさ及び第２電圧の大きさの和まで漸進的に立ち上がる段階と、サステイン期間の間に前記第２電極にポジティブサステイン電圧とネガティブサステイン電圧との間で変化するサステインパルスを供給する段階と、を含む。
【００２４】
基準電圧から前記第２電圧まで漸進的に立ち上がる前記第１パルスが前記第１電極に供給され、前記サステイン期間の間に前記基準電圧が前記第１電極に供給され、前記基準電圧から前記第１電圧まで立ち下がる前記第２パルスが前記第２電極に供給されることが好ましい。
【００２５】
基準電圧から前記第１電圧まで立ち上がる前記第１パルスが前記第１電極に供給され、前記サステイン期間に前記基準電圧が前記第１電極に供給され、前記基準電圧から前記第１電圧まで漸進的に立ち下がる前記第２パルスが前記第２電極に供給されることが好ましい。
【発明の効果】
【００２６】
本発明のプラズマディスプレイ装置及びプラズマディスプレイ装置の駆動方法は、単純な構造を有し、製造費用を低減し、高い信頼性及び向上された電気的特性を有する駆動部を提供することができる。
【発明を実施するための最良の形態】
【００２７】
以下では本発明係る具体的な実施形態を図面を参照して説明する。
【００２８】
図１は本発明の実施形態に係るプラズマディスプレイ装置を示す。図１に示されたように、本発明の実施形態に係るプラズマディスプレイ装置は、プラズマディスプレイパネル１００及び駆動部２００を含む。駆動部２００は、第１電極駆動部２１０、第２電極駆動部２２０及び第３電極駆動部２３０を含む。
【００２９】
プラズマディスプレイパネル１００は、第１電極（Ｙ１乃至Ｙｎ）、第２電極（Ｚ１乃至Ｚｎ）及び第３電極（Ｘ１乃至Ｘｍ）を含む。第１電極（Ｙ１乃至Ｙｎ）、第２電極（Ｚ１乃至Ｚｎ）は、互いに並んで位置して、第３電極（Ｘ１乃至Ｘｍ）は、第１電極（Ｙ１乃至Ｙｎ）及び第２電極（Ｚ１乃至Ｚｎ）と交差する。第３電極（Ｘ１乃至Ｘｍ）と第１電極（Ｙ１乃至Ｙｎ）及び第２電極（Ｚ１乃至Ｚｎ）の交差する領域は放電セル（Ｃ）に相当する。
【００３０】
駆動部２００は、リセット期間の間に第１電極（Ｙ１乃至Ｙｎ）及び第２電極（Ｚ１乃至Ｚｎ）それぞれに第１パルス及び第２パルスを供給する。すなわち、駆動部２００の第１電極駆動部２１０は第１パルスを第１電極（Ｙ１乃至Ｙｎ）に供給して、駆動部２００の第２電極駆動部２２０は第２パルスを第２電極（Ｚ１乃至Ｚｎ）に供給する。第１パルス及び第２パルスの供給によって、第１電極（Ｙ１乃至Ｙｎ）及び第２電極（Ｚ１乃至Ｚｎ）の間の電圧の差は第１電圧の大きさから、第１電圧の大きさ及び第２電圧の大きさの和まで漸進的に立ち上がる。第１パルス及び第２パルスの供給による電圧の差によって、プラズマディスプレイパネルの全体放電セルの壁電荷が均一化される。駆動部２００の第１電極駆動部２１０は、アドレス期間にスキャンパルスを第１電極（Ｙ１乃至Ｙｎ）に順に供給して、第３電極駆動部２３０は、スキャンパルスに同期してデータパルスを第３電極（Ｘ１乃至Ｘｍ）に供給する。駆動部２００は、サステイン期間の間に第２電極（Ｚ１乃至Ｚｎ）にポジティブサステイン電圧とネガティブサステイン電圧との間で変化するサステインパルスを供給する。
【００３１】
図２Ａは本発明の実施形態に係るプラズマディスプレイ装置の駆動信号の一例を示す。
図２Ａに示されたように、駆動部２００の第１電極駆動部２１０はリセット期間の間に第１電極（Ｙ）に基準電圧から第２電圧（Ｖ２）まで漸進的に立ち上がる第１パルス（Ｐ１）を供給する。また第１電極駆動部２１０は、第１パルス（Ｐ１）の供給後基準電圧から第３電圧（−Ｖ３）まで漸進的に立ち下がる第３パルス（Ｐ３）を第１電極（Ｙ）に供給する。基準電圧はグラウンドレベルの電圧（ＧＮＤ）であってもよい。第１電極駆動部２１０は、アドレス期間にスキャン基準電圧（Ｖｓｂ）から第４電圧（−Ｖ４）まで立ち下がるスキャンパルス（Ｐｓｃａｎ）を第１電極（Ｙ）に供給する。第１電極駆動部２１０は、スキャンパルス（Ｐｓｃａｎ）の供給前後でスキャン基準電圧（Ｖｓｂ）を第１電極（Ｙ）に供給する。図２Ａでスキャン基準電圧（Ｖｓｂ）は、グラウンドレベルの電圧（ＧＮＤ）やグラウンドレベルより低い電圧が供給されてもよい。第１電極駆動部２１０はサステイン期間に基準電圧を供給する。基準電圧はグラウンドレベルの電圧（ＧＮＤ）であってもよい。
【００３２】
第２電極駆動部２２０はリセット期間の間に第２電極（Ｙ）にグラウンドレベルの電圧（ＧＮＤ）から第１電圧（−Ｖ１）まで立ち下がる第２パルス（Ｐ２）を供給する。第２電極駆動部２２０はアドレス期間の間にグラウンドレベルのサステインバイアス電圧（Ｖｂｉａｓ）を供給する。第２電極駆動部２２０は、サステイン期間にポジティブサステイン電圧（Ｖｓ）とネガティブサステイン電圧（−Ｖｓ）との間で変化するサステインパルス（ＳＰ）を供給する。
【００３３】
第１パルス（Ｐ１）と第２パルス（Ｐ２）の供給によって、第１電極（Ｙ）と第２電極（Ｚ）の間の電圧の差（Ｙ−Ｚ）は、図２Ｂに示されたように、第１電圧（−Ｖ１）の大きさから、第１電圧（−Ｖ１）の大きさ及び第２電圧（Ｖ２）の大きさの和（Ｖ１＋Ｖ２）まで漸進的に立ち上がる。
【００３４】
第２電圧（Ｖ２）まで立ち上がる第１パルス（Ｐ１）と第１電圧（−Ｖ１）まで立ち下がる第２パルス（Ｐ２）の供給によって、放電セルの壁電荷が均一化され、駆動部２００は低い耐圧特性を持つので、駆動部２００の製造費用を低減することができ、駆動信号による干渉や駆動信号の歪曲を減少させることができる。
【００３５】
またサステイン期間中にポジティブサステイン電圧（Ｖｓ）からネガティブサステイン電圧（−Ｖｓ）まで変化するサステインパルスが第２電極（Ｚ）に供給されるので、アドレス期間中に選択された放電セルでサステイン放電が起きる。
【００３６】
図３は図２Ａの駆動信号を供給するための駆動部の一例を示す。図４Ａ乃至図４Ｄは図３の駆動部の動作を示す。図３に示されたように、駆動部２００は第１電極駆動部２１０と第２電極駆動部２２０を含む。第１電極駆動部２１０と第２電極駆動部２２０は、プラズマディスプレイパネル（ＰＮＬ）の第１電極（Ｙ）と第２電極（Ｚ）に接続される。
【００３７】
第１電極駆動部２１０のドライバＩＣ（ＳＤＩＣ）はスイッチ（Ｑ８）とスイッチ（Ｑ９)を含み、スイッチ（Ｑ８）とスイッチ（Ｑ９)の共通端と第１電極（Ｙ）が接続されて、駆動信号を第１電極（Ｙ）に供給する。
【００３８】
第１電極駆動部２１０のスイッチ（Ｑ５）はドライバＩＣ（ＳＤＩＣ）を介して図２Ａの第１パルス（Ｐ１）を第１電極（Ｙ）に供給する。第１パルス（Ｐ１）の勾配はスイッチ（Ｑ５）に接続された可変抵抗（ＶＲ１）によって変わる。スイッチ（Ｑ５）の一方の端部はドライバＩＣ（ＳＤＩＣ）のスイッチ（Ｑ８）と接続される。スイッチ（Ｑ５）及びスイッチ（Ｑ８）がターンオンされれば、第１パルス（Ｐ１）の供給のために図４Ａの電流パスが形成される。
【００３９】
第１パルス（Ｐ１）が供給される時、第２電極駆動部２２０のスイッチ（Ｑ４）がターンオンされて、第２電極（Ｚ）に第１電圧（−Ｖ１）まで立ち下がる第２パルス（Ｐ２）が供給される。図３に示されたように、第１電圧（−Ｖ１）はネガティブサステイン電圧（−Ｖｓ）であってもよい。第１電圧（−Ｖ１）がネガティブサステイン電圧（−Ｖｓ）と異なる場合、第２電極駆動部２２０は第１電圧（−Ｖ１）を供給するためのもう一つのスイッチをさらに含んでもよい。
【００４０】
第１電極駆動部２１０のスイッチ（Ｑ６）は、図２Ａの第１パルス（Ｐ１）の供給後、ドライバＩＣ（ＳＤＩＣ）を介して基準電圧から第３電圧（−Ｖ３）まで漸進的に立ち下がる第３パルス（Ｐ３）を第１電極（Ｙ）に供給する。第３パルス（Ｐ３）の勾配はスイッチ（Ｑ６）に接続された可変抵抗（ＶＲ２）によって変わる。スイッチ（Ｑ６）の一方の端部はドライバＩＣ（ＳＤＩＣ）のスイッチ（Ｑ９)に接続される。第３パルス（Ｐ３）が供給される時、第２電極駆動部２２０のスイッチ（Ｑ１２）がターンオンされて、基準電圧が第２電極（Ｚ）に供給される。第３パルス（Ｐ３）の供給のための電流パスが図４Ｂに示されている。
【００４１】
第１電極駆動部２１０のスイッチ（Ｑ７）は第３パルス（Ｐ３）の供給後、ドライバＩＣ（ＳＤＩＣ）を介してアドレス期間の間に図２Ａのスキャン基準電圧（Ｖｓｂ）を第１電極（Ｙ）に供給する。スイッチ（Ｑ７）の一方の端部はスイッチ（Ｑ５）及びドライバＩＣ（ＳＤＩＣ）のスイッチ（Ｑ８）の共通端に接続される。図２Ａを通じて説明したように、スキャン基準電圧（Ｖｓｂ）は実質的にグラウンドレベルの電圧と同一であってもよく、グラウンドレベルの電圧と異なってもよい。スキャン基準電圧（Ｖｓｂ）がグラウンドレベルの電圧の場合、スイッチ（Ｑ１１）は第３パルス（Ｐ３）の供給後、ドライバＩＣ（ＳＤＩＣ）を介してグラウンドレベルのスキャン基準電圧（Ｖｓｂ）を第１電極（Ｙ）に供給する。スイッチ（Ｑ１１）はドライバＩＣ（ＳＤＩＣ）のスイッチ（Ｑ９)に接続される。
【００４２】
第１電極駆動部２１０のスイッチ（Ｑ１０）は、ドライバＩＣ（ＳＤＩＣ）を介してアドレス期間の間に図２Ａの第４電圧（−Ｖ４）まで立ち下がるスキャンパルス（Ｐｓｃａｎ）を供給する。スイッチ（Ｑ１０）はドライバＩＣ（ＳＤＩＣ）のスイッチ（Ｑ９)に接続される。
【００４３】
スキャンパルスの供給のための電流パス（Ａ）とスキャン基準電圧の供給のための電流パス（Ｂ）が図４Ｃに示されている。
【００４４】
アドレス期間の間に第２電極駆動部２２０のスイッチ（Ｑ１２）はターンオン状態を維持することで、第２電極（Ｚ）に基準電圧が供給される。
【００４５】
スイッチ（Ｑ１１）はサステイン期間に基準電圧を第１電極（Ｙ）に供給する。また第２電極駆動部２２０のエネルギー回収回路２２５は、ポジティブサステイン電圧（Ｖｓ）とネガティブサステイン電圧（−Ｖｓ）との間で変化するサステインパルスを供給することで、サステイン放電を起こす。図４Ｄはサステイン期間におけるサステインパルスによる電流パスを示す。
【００４６】
図３のエネルギー回収回路２２５のスイッチ（Ｑ４’）がターンオンされて、残りのスイッチ（Ｑ１’、Ｑ２’、Ｑ３’）がターンオフされる。これによって第２電極（Ｚ）にはネガティブサステイン電圧（−Ｖｓ）が供給される。
【００４７】
スイッチ（Ｑ１’）がターンオンされて、残りのスイッチ（Ｑ２’、Ｑ３’、Ｑ４’）がターンオフされる。共振を通じてプラズマディスプレイパネル（ＰＮＬ）の第２電極（Ｚ）及びインダクタ（ＬＬ１）からキャパシタ（ＣＳ１）にエネルギーが回収される。これによって第２電極（Ｚ）の電圧はネガティブサステイン電圧（−Ｖｓ）からポジティブサステイン電圧（Ｖｓ）まで立ち上がる。エネルギーを回収したキャパシタ（ＣＳ１）の両端の電圧は、ネガティブサステイン電圧（−Ｖｓ）とポジティブサステイン電圧（Ｖｓ）の和の０．５倍であるので、実質的に０Ｖと同一である。
【００４８】
スイッチ（Ｑ３’）がターンオンされて、残りのスイッチ（Ｑ１’、Ｑ２’、Ｑ４’）がターンオフされる。これによって第２電極（Ｚ）にポジティブサステイン電圧（Ｖｓ）が供給される。
【００４９】
スイッチ（Ｑ２）がターンオンされて、残りのスイッチ（Ｑ１’、Ｑ３’、Ｑ４’）がターンオフされる。共振を通じてプラズマディスプレイパネル（ＰＮＬ）のキャパシタ（ＣＳ１）からインダクタ（ＬＬ１）及び第２電極（Ｚ）にエネルギーが供給される。これによって第２電極（Ｚ）の電圧はポジティブサステイン電圧（Ｖｓ）からネガティブサステイン電圧（−Ｖｓ）まで立ち下がる。図面を通じて上述したように、本発明の実施形態に係る駆動部の第１電極駆動部及び第２電極駆動部は、第１パルス及び第２パルスの供給を通じて放電セルの璧電荷を均一にさせる。第１電極駆動部がエネルギー回収回路を含んでいないので、第２電極駆動部がポジティブサステイン電圧とネガティブサステイン電圧との間で変化するサステインパルスを供給して、サステイン放電を遂行する。これによって駆動部の構造が単純になる。駆動部の構造が単純になるので、駆動部の製造費用を低減することができる。また、サステインパルスが第２電極駆動部のみを通じて供給されるので、駆動信号の歪曲を減少させることができる。
【００５０】
図５は図２Ａの駆動信号を供給するための駆動部の他の一例を示す。図５の駆動部は、第１電極駆動部２１０と第２電極駆動部２２０を含む。図５の第２電極駆動部２２０の構成及び動作は、図３の第２電極駆動部２２０の動作及び構成と同一であるので、詳細な説明は略する。
【００５１】
駆動部２００の第１電極駆動部２１０は、ドライバＩＣ（ＳＤＩＣ）、スイッチ（Ｑ１）、第２電圧源（Ｖｓｏｕｒｃｅ２）、第１グラウンドスイッチ（ＳＷ１）及び第２グラウンドスイッチ（ＳＷ２）を含む。第１電極駆動部２１０のドライバＩＣ（ＳＤＩＣ）はスイッチ（Ｑ８）とスイッチ（Ｑ９)を含み、スイッチ（Ｑ８）とスイッチ（Ｑ９)の共通端と第１電極（Ｙ）が接続されて、駆動信号を第１電極（Ｙ）に供給する。スイッチ（Ｑ１）はドライバＩＣ（ＳＤＩＣ）の一方の端部と接続される。すなわち、スイッチ（Ｑ１）はスイッチ（Ｑ８）の一方の端部に接続される。第２電圧源（Ｖｓｏｕｒｃｅ２）は、ドライバＩＣ（ＳＤＩＣ）の他方の端部とスイッチ（Ｑ１）とに接続されて、第１パルスのための第２電圧（Ｖ２）を供給する。第１グラウンドスイッチ（ＳＷ１）はドライバＩＣ（ＳＤＩＣ）の一方端部とグラウンドとに接続される。第２グラウンドスイッチ（ＳＷ２）はドライバＩＣ（ＳＤＩＣ）の他方の端部とグラウンドとに接続される。
【００５２】
図６Ａ乃至図６Ｄは図５の駆動部の動作を示す。
【００５３】
スイッチ（Ｑ１）はリセット期間の間にスイッチ（Ｑ１）のミラーキャパシタ（Ｍｉｌｌｅｒ  ｃａｐａｃｉｔｏｒ）が放電するアクティブ領域で動作して、第１グラウンドスイッチ（ＳＷ１）とドライバＩＣ（ＳＤＩＣ）のスイッチ（Ｑ８）がターンオンする。これによって図６Ａの電流パスが形成される。ドライバＩＣ（ＳＤＩＣ）は図２Ａに示されたように、グラウンドレベルの電圧（ＧＮＤ）から第２電圧（Ｖ２）まで漸進的に立ち上がる第１パルス（Ｐ１）を第１電極（Ｙ）に供給する。
【００５４】
第１パルス（Ｐ１）の供給後、スイッチ（Ｑ１）は続いてリセット期間の間にアクティブ領域で動作する。第２グラウンドスイッチ（ＳＷ２）及びスイッチ（Ｑ９)がターンオンされれば、ドライバＩＣ（ＳＤＩＣ）は図２Ａに示されたように、グラウンドレベルの電圧（ＧＮＤ）から第２電圧（−Ｖ２）まで漸進的に立ち下がる第３パルス（Ｐ３）を第１電極（Ｙ）に供給する。図２Ａでは第３パルス（Ｐ３）が第３電圧（−Ｖ３）まで立ち下がるが、図６Ｂでは第３パルス（Ｐ３）が第２電圧（−Ｖ２）まで立ち下がる。図２Ａの第３パルス（Ｐ３）は第３電圧（−Ｖ３）の供給を受ける図３のスイッチ（Ｑ６）によって形成されるが、図６Ｂの第３パルス（Ｐ３）は第１パルス（Ｐ１）の形成のための第２電圧源（Ｖｓｏｕｒｃｅ２）によって形成される。
【００５５】
第３パルス（Ｐ３）の供給後、スイッチ（Ｑ１）は続いてターンオン状態を維持する。これによってスイッチ（Ｑ１）はアドレス期間の間に飽和領域で動作する。第２グラウンドスイッチ（ＳＷ２）とスイッチ（Ｑ９)がターンオンすれば、図６Ｃに示された電流パス（ＣＰ１）が形成される。これによってドライバＩＣ（ＳＤＩＣ）は第２電圧（−Ｖ２）まで立ち下がるスキャンパルスを第１電極（Ｙ）に供給する。またスイッチ（Ｑ１）がターンオフされて第２グラウンドスイッチ（ＳＷ２）とスイッチ（Ｑ８）がターンオンすれば、グラウンドレベルのスキャン基準電圧が第１電極（Ｙ）に供給される。
【００５６】
図５の第２電極駆動部２２０がポジティブサステイン電圧とネガティブサステイン電圧との間で変化するサステインパルスを供給する時、第１グラウンドスイッチ（ＳＷ１）とスイッチ（Ｑ９)がターンオンされる。これによって第１電極（Ｙ）にグラウンドレベルの電圧が供給されて、図６Ｄのような電流パスが形成される。
【００５７】
図５の駆動部は第２電圧源（Ｖｓｏｕｒｃｅ２）及びスイッチ（Ｑ１）と二つのグラウンドスイッチ（ＳＷ１、ＳＷ２）を介して駆動信号を供給するので、駆動部の構造が単純である。駆動部の構造が単純になるので、駆動部の製造費用を減少させることができる。またサステインパルスが第２電極駆動部のみを通じて供給されるので、駆動信号の歪曲を減少させることができる。
【００５８】
図７は本発明の実施形態に係るプラズマディスプレイ装置の駆動ボードの配置を示す。放熱版３００は、プラズマディスプレイパネル１００と接触することでプラズマディスプレイパネル１００の熱を外部に放出する。また放熱版３００上には、図３または図５の第１電極駆動部２１０が具現される第１駆動ボード４００、図３の第２電極駆動部２２０が具現される第２駆動ボード５００、第３電極駆動部２３０が具現される第３駆動ボード６００及びコントロールボード７００が配置される。コントロールボード７００は、第１電極駆動部２１０、第２電極駆動部２２０及び第３電極駆動部２３０を制御するためのタイミング制御信号を出力する。
【００５９】
本発明の実施形態に係るプラズマディスプレイ装置は、上記の通り第２電極駆動部２２０がネガティブサステイン電圧とポジティブサステイン電圧との間で変化するサステインパルスを供給するので、第１電極駆動部２１０にはサステインパルスを供給するための回路が必要ない。したがって、第１駆動ボード４００はサステインパルスを供給するための回路を具現するボードを含まない。これによって、第１駆動ボード４００の構成が単純になるだけでなく、プラズマディスプレイ装置の製造原価を節減することができる。
【００６０】
図７の図の番号Ｃ１、Ｃ２及びＣ３は各駆動ボードを連結する接続手段であり、図の番号Ｃ４、Ｃ５及びＣ６は第１駆動ボード４００、第２駆動ボード５００及び第３駆動ボード６００と、第１電極、第２電極及び第３電極を連結するための接続手段である。
【００６１】
図８Ａは本発明の実施形態に係るプラズマディスプレイ装置の駆動信号の他の例を示す。
【００６２】
図８Ａに示されたように、駆動部２００の第１電極駆動部２１０はリセット期間の間に第１電極（Ｙ）に基準電圧から第２電圧（Ｖ２）まで立ち上がる第１パルス（Ｐ１）を供給する。なお、第１電極駆動部２１０の第３パルス（Ｐ３）は図２Ａで説明された第３パルス（Ｐ３）と同一であるので、詳細な説明は省略する。第１電極駆動部２１０は、アドレス期間にスキャン基準電圧（Ｖｓｂ）から第４電圧（−Ｖ４）まで立ち下がるスキャンパルス（Ｐｓｃａｎ）を第１電極（Ｙ）に供給する。図８Ａのスキャン基準電圧（Ｖｓｂ）のレベルはグラウンドレベル（ＧＮＤ）より低くてもよい。第１電極駆動部２１０はサステイン期間に基準電圧を供給する。基準電圧はグラウンドレベルの電圧（ＧＮＤ）であってもよい。
【００６３】
駆動部２００の第２電極駆動部２２０はリセット期間の間に第２電極（Ｚ）にグラウンドレベルの電圧（ＧＮＤ）から第１電圧（−Ｖ１）まで漸進的に立ち下がる第２パルス（Ｐ２）を供給する。第２電極駆動部２２０はアドレス期間の間にグラウンドレベルより高いレベルのサステインバイアス電圧（Ｖｂｉａｓ）を供給してもよい。第２電極駆動部２２０は、サステイン期間にポジティブサステイン電圧（Ｖｓ）とネガティブサステイン電圧（−Ｖｓ）との間で変化するサステインパルスを供給する。
【００６４】
第１パルス（Ｐ１）と第２パルス（Ｐ２）の供給によって、第１電極（Ｙ）と第２電極（Ｚ）の間の電圧の差は、図８Ｂに示されたように、第１電圧（−Ｖ１）の大きさから、第１電圧（Ｖ１）の大きさ及び第２電圧（Ｖ２）の大きさの和（Ｖ１＋Ｖ２）まで漸進的に立ち上がる。
【００６５】
第２電圧（Ｖ２）まで立ち上がる第１パルス（Ｐ１）と第２電圧（−Ｖ２）まで立ち下がる第２パルス（Ｐ２）の供給によって、放電セルの壁電荷が均一化され、駆動部２００は低い耐圧特性を有するので、駆動部２００の製造費用を低減させることができ、駆動信号による干渉や駆動信号の歪曲を減少させることができる。
【００６６】
またサステイン期間においてポジティブサステイン電圧（Ｖｓ）からネガティブサステイン電圧（−Ｖｓ）まで変化するサステインパルスが第２電極（Ｚ）に供給されるので、アドレス期間において選択された放電セルでサステイン放電が起きる。
【００６７】
図９は図８Ａの駆動信号を供給するための駆動部の他の一例を示す。図１０Ａ乃至図１０Ｄは図９の駆動部の動作を示す。
【００６８】
図９に示されたように、駆動部２００は第１電極駆動部２１０と第２電極駆動部２２０を含む。第１電極駆動部２１０と第２電極駆動部２２０は、プラズマディスプレイパネル（ＰＮＬ）の第１電極（Ｙ）と第２電極（Ｚ）に接続される。図９の第２電極駆動部の動作と構成は、図３の第２電極駆動部の動作と構成と同一であるので、詳細な説明は省略する。
【００６９】
第１電極駆動部２１０のドライバＩＣ（ＳＤＩＣ）はスイッチ（Ｑ８）とスイッチ（Ｑ９)を含み、スイッチ（Ｑ８）とスイッチ（Ｑ９)の共通端と第１電極（Ｙ）が接続されて、駆動信号を第１電極（Ｙ）に供給する。
【００７０】
第１電極駆動部２１０のスイッチ（Ｑ２）は第２電圧（Ｖ２）を供給する第２電圧源（Ｖｓｏｕｒｃｅ２）に接続されて、第１パルス及びサステインパルスの供給時に基準電圧（Ｖｒｅｆ）を供給する。スイッチ（Ｑ２）はドライバＩＣ（ＳＤＩＣ）のスイッチ（Ｑ９)に接続される。基準電圧（Ｖｒｅｆ）はグラウンドレベルの電圧であってもよい。スイッチ（Ｑ２）とスイッチ（Ｑ８）がターンオンすれば、図１０Ａの電流パス（ＣＰａ）が形成される。これによって、図８Ａの第１パルス（Ｐ１）が第1電極（Ｙ）に供給される。第１パルス（Ｐ１）が供給される時、第２電極駆動部２２０は図８Ａの第２パルス（Ｐ２）を第２電極（Ｚ）に供給する。これによって、プラズマディスプレイパネルの全体放電セルの壁電荷が均一化される。
【００７１】
第１パルス（Ｐ１）の供給後、第１電極駆動部２１０のスイッチ（ＳＷ３）はドライバＩＣ（ＳＤＩＣ）を介してリセット期間の間に第３電圧（−Ｖ３）まで漸進的に立ち下がる第３パルス（Ｐ３）を供給する。第３パルス（Ｐ３）の勾配はスイッチ（ＳＷ３）に接続された可変抵抗（ＶＲ３）によって決まる。すなわち、図１０Ａに示されたように、スイッチ（Ｑ９)とスイッチ（ＳＷ３）がターンオンすれば、第３パルス（Ｐ３）の供給のための電流パス（ＣＰｂ）が形成される。これによって図８Ａの第３パルス（Ｐ３）が供給される。第３パルス（Ｐ３）の供給によって放電セルが形成された壁電荷の一部が消去される。第３パルス（Ｐ３）が供給されるうちに、第２電極駆動部２２０はグラウンドレベルの電圧（ＧＮＤ）を供給する。スイッチ（ＳＷ３）は、スイッチ（Ｑ２）、第２ソース電圧源（Ｖｓｏｕｒｃｅ２）及びスイッチ（Ｑ９)の共通端に接続される。
【００７２】
第１電極駆動部２１０のスイッチ（ＳＷ４）は、ドライバＩＣ（ＳＤＩＣ）を介してアドレス期間の間に第４電圧（−Ｖ４）まで立ち下がるスキャンパルスを供給する。すなわち、図１０Ｂに示されたように、スイッチ（ＳＷ４）とスイッチ（Ｑ９)のターンオンによって電流パス（ＣＰｃ）が形成される。電流パス（ＣＰｃ）が形成されれば、図８Ａのスキャンパルス（Ｐｓｃａｎ）が第１電極（Ｙ）に供給される。図示しないデータパルスがスキャンパルス（Ｐｓｃａｎ）に同期して供給されれば、サステイン放電が起きる放電セルが選択される。スイッチ（ＳＷ４）はスイッチ（Ｑ２）、第２ソース電圧源（Ｖｓｏｕｒｃｅ２）及びスイッチ（Ｑ９)の共通端に接続される。
【００７３】
スイッチ（ＳＷ４）は、ドライバＩＣ（ＳＤＩＣ）を介して第２電圧源（Ｖｓｏｕｒｃｅ２）の第２電圧（Ｖ２）と第４電圧源（図示せず）の第４電圧（−Ｖ４）の和を第１電極（Ｙ）に供給する。すなわち、図１０Ｃに示されたように、スイッチ（ＳＷ４）とスイッチ（Ｑ８）がターンオンされれば、電流パス（ＣＰｄ）が形成されて、第２電圧源（Ｖｓｏｕｒｃｅ２）と第４電圧源が直列で接続される。これによって、第１電極（Ｙ）に第２電圧（Ｖ２）と第４電圧（−Ｖ４）の和の電圧が供給される。第２電圧（Ｖ２）と第４電圧（−Ｖ４）の和の電圧は、図８Ａのスキャン基準電圧（Ｖｓｂ）に相当する。
【００７４】
第２電極駆動部２２０は図８Ａに示されたように、アドレス期間の間にサステインバイアス電圧（Ｖｂｉａｓ）を供給する。
【００７５】
図８Ａに示されたように、サステイン期間の間に第２電極駆動部２２０はポジティブサステイン電圧（Ｖｓ）とネガティブサステイン電圧（−Ｖｓ）との間で変化するサステインパルスを第２電極（Ｚ）に供給する。また、第１電極駆動部２１０のスイッチ（Ｑ２）とスイッチ（Ｑ９)がターンオンされる。これによって、図１０Ｄに示されたように電流パス（ＣＰｅ、ＣＰｆ）が形成される。したがって、アドレス期間に選択された放電セルでサステイン放電が発生する。
【００７６】
上記の通り駆動部が第１パルス及び第２パルスをそれぞれ第１電極及び第２電極に供給することにより、駆動部の構造が単純になる。また、第１パルスと第２パルスによって第１電極駆動部及び第２電極駆動部の耐圧が減少するので、信号の歪曲を減少することができ、製造費用を低減することができる。
【図面の簡単な説明】
【００７７】
【図１】本発明の実施形態に係るプラズマディスプレイ装置を示す図。
【図２Ａ】本発明の実施形態に係るプラズマディスプレイ装置の駆動信号の一例を示す図。
【図２Ｂ】第１パルス及び第２パルスの供給による第１電極と第２電極の電圧の差を示す 図。
【図３】図２Ａの駆動信号を供給するための駆動部の一例を示す図。
【図４Ａ】図３の駆動部の動作を示す図。
【図４Ｂ】図３の駆動部の動作を示す図。
【図４Ｃ】図３の駆動部の動作を示す図。
【図４Ｄ】図３の駆動部の動作を示す図。
【図５】図２Ａの駆動信号を供給するための駆動部の他の一例を示す図。
【図６Ａ】図５の駆動部の動作を示す図。
【図６Ｂ】図５の駆動部の動作を示す図。
【図６Ｃ】図５の駆動部の動作を示す図。
【図６Ｄ】図５の駆動部の動作を示す図。
【図７】本発明の実施形態に係るプラズマディスプレイ装置の駆動ボードの配置を示す図。
【図８Ａ】本発明の実施形態に係るプラズマディスプレイ装置の駆動信号の他の例を示す図。
【図８Ｂ】第１パルス及び第２パルスの供給による第１電極と第２電極の電圧の差を示す図。
【図９】図８Ａの駆動信号を供給するための駆動部の一例を示す図。
【図１０Ａ】図９の駆動部の動作を示す図。
【図１０Ｂ】図９の駆動部の動作を示す図。
【図１０Ｃ】図９の駆動部の動作を示す図。
【図１０Ｄ】図９の駆動部の動作を示す図。
【図１】
2007286626.tif 000003
【図２Ａ】
2007286626.tif 000004
【図２Ｂ】
2007286626.tif 000005
【図３】
2007286626.tif 000006
【図４Ａ】
2007286626.tif 000007
【図４Ｂ】
2007286626.tif 000008
【図４Ｃ】
2007286626.tif 000009
【図４Ｄ】
2007286626.tif 000010
【図５】
2007286626.tif 000011
【図６Ａ】
2007286626.tif 000012
【図６Ｂ】
2007286626.tif 000013
【図６Ｃ】
2007286626.tif 000014
【図６Ｄ】
2007286626.tif 000015
【図７】
2007286626.tif 000016
【図８Ａ】
2007286626.tif 000017
【図８Ｂ】
2007286626.tif 000018
【図９】
2007286626.tif 000019
【図１０Ａ】
2007286626.tif 000020
【図１０Ｂ】
2007286626.tif 000021
【図１０Ｃ】
2007286626.tif 000022
【図１０Ｄ】
2007286626.tif 000023